(57)【要約】【課題】ランナーの走行性を向上することのできるカーテンレールを提供することを目的とする。【解決手段】カーテンレールは、水平方向に沿って延びるポール１０と、ポール１０が通されてポール１０に沿って摺動するランナー２０とを備える。ランナー２０は、上記摺動に際してポール１０と接触する摺接部２１を含む。ポール１０は、上記摺動に際して摺接部２１と接触するように構成された被摺接部１２ａ，１２ｂ，１２ｃを備える。ポール１０の外側面は、シート１５を備える。被摺接部１２ａ，１２ｂ，１２ｃは、シート１５から露出されている。【選択図】図３
2020078719.tif 000002
【特許請求の範囲】
【請求項１】
水平方向に沿って延びるポールと、
前記ポールが通されて前記ポールに沿って摺動するランナーと、を備え、
前記ランナーは、前記摺動に際して前記ポールと接触する摺接部を含み、
前記ポールは、前記摺動に際して前記摺接部と接触するように構成された被摺接部を備え、前記ポールの外側面は、シートを備え、
前記被摺接部は、前記シートから露出されており、
前記外側面は、前記水平方向に沿って延びる筒状の面において前記ポールが固定される面に面する部分の一部が切り欠かれた形状を有する
カーテンレール。
【請求項２】
前記被摺接部は、前記ポールの外側面において突出する突条である
請求項１に記載のカーテンレール。
【発明の詳細な説明】
【技術分野】
【０００１】
本開示の技術は、ポールとポールに沿って摺動するランナーとを備えるカーテンレールに関する。
【背景技術】
【０００２】
カーテンレールは、通常、１つの方向に沿って延びる円柱状を有するポールと、ポールが通る円環状を有した複数のランナーとを備えている。複数のランナーの各々は、ランナーの下端部にてカーテンを吊り下げ、こうしたランナーがポールを摺動することによってカーテンは開閉する。ランナーが摺動する際に、ポールとランナーとの間には摩擦力が作用し、こうした摩擦力が大きいほどランナーの走行性は低いため、ポールとランナーとの間に作用する摩擦力は小さい方が好ましい。特許文献１に記載のポールは、ポールとランナーとを点接触させることによって上記摩擦力を抑えることを目的として、ポールの外周面に、ポールの延びる方向に沿って延びる樹脂製の突起を備えている。
【先行技術文献】
【特許文献】
【０００３】
【特許文献１】特許３２７３０３６号明細書
【発明の概要】
【発明が解決しようとする課題】
【０００４】
本開示の技術は、ランナーの走行性を向上することのできるカーテンレールを提供することを目的とする。
【課題を解決するための手段】
【０００５】
上記課題を解決するカーテンレールは、水平方向に沿って延びるポールと、前記ポールが通されて前記ポールに沿って摺動するランナーとを備える。前記ランナーは、前記摺動に際して前記ポールと接触する摺接部を含み、前記ポールは、前記摺動に際して前記摺接部と接触するように構成された被摺接部を備え、前記ポールの外側面は、シートを備え、前記被摺接部は、前記シートから露出されている。
【０００６】
上記カーテンレールにおいて、前記被摺接部は、前記ポールの外側面において突出する突条であることが好ましい。
【発明の効果】
【０００７】
本開示の技術によれば、ランナーの走行性を向上することができる。
【図面の簡単な説明】
【０００８】
【図１】本開示の技術における一実施形態でのカーテンレールの全体構成を示す正面図。
【図２】一実施形態でのポールの斜視構造を示す斜視図。
【図３】一実施形態でのポールの断面構造をランナーの内縁と共に示す断面図。
【図４】一実施形態におけるポールとブラケットとが組み付けられた状態での側面構造を示す側面図。
【図５】一実施形態でのランナーの正面構造を示す正面図。
【図６】一実施形態でのランナーが静止している状態におけるポールとランナーとの位置関係を示す図。
【図７】一実施形態でのランナーが回転している状態におけるポールとランナーとの位置関係を示す図。
【図８】一実施形態でのランナーが回転している状態におけるポールとランナーとの位置関係を示す図。
【図９】一実施形態での突条が配置される領域を模式的に示す図。
【発明を実施するための形態】
【０００９】
図１〜図９を参照して、カーテンレールの一実施形態について説明する。
図１に示されるように、カーテンレールは、水平方向に延びるポール１０と、ポール１０に沿って摺動する複数のランナー２０とを備えている。なお、水平方向とは、厳密な意味の水平方向であってもよいし、カーテンの吊下げられたランナー２０が、ポール１０において静止することの可能な範囲で、厳密な意味の水平方向に対して一定の範囲を有した方向であってもよい。
【００１０】
固定部材の一例であるブラケット３０は、例えば、窓際の壁等の任意の固定面に固定され、ポール１０は、ブラケット３０を介して、その固定面に固定されている。ポール１０において水平方向の両端部には、例えば、キャップ４０を介して飾り部材５０が取り付けられてもよい。
【００１１】
ランナー２０は、ポール１０が通される円環状を有した摺接部２１と、摺接部２１の下端に組付けられた吊下部２２とを備えている。吊下部２２には、カーテン６０が備えるフックが引っ掛けられ、これによって、ランナー２０はカーテン６０を吊り下げる。なお、ランナー２０の摺接部２１は、水平方向から見て弧状を有する構成であればよく、その摺接部２１にてポール１０と接触する構成であればよい。例えば、摺接部２１は、円環の一部が欠けた有端の環形状であってもよいし、長円形状であってもよい。
【００１２】
そして、カーテン６０を操作する人が、ポール１０の端部に向かってカーテン６０を引っ張るとき、摺接部２１はポール１０の端部に向かってポール１０に沿って摺動し、これによって、カーテン６０は開く。また、カーテン６０を操作する人が、ポール１０の中央部に向かってカーテン６０を引っ張るとき、摺接部２１は、ポール１０の中央部に向かってポール１０に沿って摺動し、これによって、カーテン６０は閉じる。
【００１３】
［ポール１０の構成］
図２に示されるように、ポール１０は、水平方向に沿って延びる筒形状を有し、水平方向に沿って延びる略半円筒形状を有する曲壁１１を備えている。曲壁１１は、水平方向から見て弧状の一例である半円弧状を有し、曲壁１１の内側面は、ポール１０が固定される面である固定面ＷＦに面し、曲壁１１の外側面は、曲壁１１に対して固定面ＷＦとは反対側に面している。例えば、カーテンレールが室内の窓際に設置された場合、曲壁１１の外側面は、曲壁１１に対して窓とは反対側に面している。なお、曲壁１１の外側面は、例えば、木目模様等があしらわれたシート１５を装飾として備えてもよい。こうした構成において、シート１５の外表面は、曲壁１１の外側面であって、ポール１０が有する意匠性を高める。なお、ポール１０は、例えば、アルミニウム等の金属が押出成形されることによって形成される。
【００１４】
ポール１０は、曲壁１１において周方向の両端部を連結する屈曲壁１２を備えている。屈曲壁１２は、曲壁１１の上端部における内側面から固定面ＷＦに向かって突出し、かつ、鉛直方向に沿って折り曲げられた形状を有している。曲壁１１の上端部は、曲壁１１の外側面から屈曲壁１２の上方に向かって突出する突条１２ａを有している。また、屈曲壁１２の外側面は、その外側面から固定面ＷＦに向かって突出する２つの突条１２ｂ，１２ｃを有している。
【００１５】
３つの突条１２ａ〜１２ｃの各々は、被摺接部の一例であり、例えば、水平方向におけるポール１０の全体に渡って、水平方向に沿って延びている。３つの突条１２ａ〜１２ｃの先端は、水平方向から見て、同一の円周Ｃ上に位置している。３つの突条１２ａ〜１２ｃは、ランナー２０の摺接部２１が無端の環形状を有する場合であれ、摺接部２１が有端の環形状を有する場合であれ、３つの全てが摺接部２１と面することの可能な範囲に位置している。そして、３つの突条１２ａ〜１２ｃの各々の先端は、これらが並ぶ円周Ｃにて互いに隣り合う２つの突条と摺接部２１とが接触するように構成されている。
【００１６】
第１突条１２ａは、３つの突条１２ａ〜１２ｃの先端が並ぶ円周Ｃの中心よりも鉛直方向の上方に位置している。第２突条１２ｂは、円周Ｃの中心よりも鉛直方向の上方であって、第１突条１２ａよりも下方、かつ、円周Ｃの中心を通る鉛直面に対して固定面ＷＦ側に位置している。そして、第３突条１２ｃは、円周Ｃの中心よりも鉛直方向の下方、かつ、円周Ｃの中心を通る鉛直面に対して固定面ＷＦ側に位置している。
【００１７】
次に、曲壁１１、および、突条１２ａ〜１２ｃの位置関係の一例を説明する。
図３に示されるように、水平方向と直交する鉛直面でのポール１０の断面形状において、曲壁１１の外形を示す弧の中心は、中心ＣＡである。また、中心ＣＡを通る鉛直線は中心線Ａ１であり、中心ＣＡを通り中心線Ａ１と直交する直線は中心線Ａ２である。曲壁１１の両端部の各々は、中心線Ａ１と中心線Ａ２とによって区画される互いに異なる領域に位置する。
【００１８】
図３において、中心線Ａ１よりも右側の領域は、中心線Ａ１よりも固定面ＷＦに近い領域であり、中心線Ａ１よりも左側の領域は、中心線Ａ１よりも固定面ＷＦから遠い領域である。なお、ランナー２０の有する摺接部２１の中心ＣＢを通り、かつ、中心線Ａ１と平行な直線は中心線Ｂ１である。なお、図３に示されるように、中心ＣＢを中心とする円周が、２つの突条１２ａ，１２ｂを通るとき、中心線Ｂ１は中心線Ａ１よりも固定面ＷＦから遠い領域に位置する。
【００１９】
曲壁１１の上端からは、水平方向においてポール１０の全体に渡り、固定面ＷＦに向かって第１延設壁１３ａが延設されている。第１延設壁１３ａの先端からは、上方向に向かって延びる第１被摺接部の一例である第１突条１２ａが突き出ている。第１延設壁１３ａよりも下方、かつ、中心線Ａ２よりも上方にて、曲壁１１からは、水平方向においてポール１０の全体に渡り、固定面ＷＦに向かって第２延設壁１３ｂが延設されている。第２延設壁１３ｂの上面略中央には、ブラケット３０が嵌められる嵌合溝１４が、水平方向に沿って形成されている。
【００２０】
曲壁１１の下端からは、水平方向においてポール１０の全体に渡り、上方向に向かって第３延設壁１３ｃが延設されている。第３延設壁１３ｃは、第２延設壁１３ｂの先端よりもやや曲壁１１に近い位置で、第２延設壁１３ｂの下面と接続している。第２延設壁１３ｂと第３延設壁１３ｃとの接続部分からは、水平方向においてポール１０の全体に渡り、固定面ＷＦに向かって、第２被摺接部の一例である第２突条１２ｂが突き出ている。第３延設壁１３ｃの基端よりもやや上方にて、第３延設壁１３ｃからは、固定面ＷＦに向かって第３被摺接部の一例である第３突条１２ｃが突き出ている。なお、上記第２延設壁１３ｂ、および、第３延設壁１３ｃによって、上記屈曲壁１２は構成されている。
【００２１】
曲壁１１、および、３つの突条１２ａ〜１２ｃは、中心ＣＡを中心とする円周Ｃの径方向において、最も外側に位置しており、ポール１０の外側面を構成している。曲壁１１の外側面である曲面、および、３つの突条１２ａ〜１２ｃの先端は、中心ＣＡを中心とする同一の円周Ｃ上に位置している。
【００２２】
第１突条１２ａは、中心線Ａ２よりも上方に位置している。こうした第１突条１２ａは、中心線Ａ１よりも固定面ＷＦから遠い領域、すなわち、図３において、中心線Ａ１よりも中心線Ｂ１に近い領域に位置しているとさらに好ましい。さらに、第１突条１２ａは、中心線Ａ２よりも中心線Ａ１に近い領域に位置していることが好ましい。
【００２３】
第２突条１２ｂは、中心線Ａ２よりも上方であって、かつ、第１突条１２ａよりも下方に位置している。しかも、第２突条１２ｂは、中心線Ａ１よりも固定面ＷＦに近い領域に位置している。すなわち、第１突条１２ａと第２突条１２ｂとは、円周Ｃの中心を通る鉛直面を挟んでいる。こうした第２突条１２ｂは、中心線Ａ１よりも中心線Ａ２に近い領域に位置していることが好ましい。
【００２４】
第３突条１２ｃは、中心線Ａ２よりも下方であって、かつ、中心線Ａ１よりも固定面ＷＦに近い領域に位置している。こうした第３突条１２ｃは、中心線Ａ１よりも中心線Ａ２に近いことが好ましい。
【００２５】
［ブラケット３０の構成］
図４に示されるように、ポール１０を支持するブラケット３０は、水平方向から見て、第２延設壁１３ｂの延びる方向に沿って延びるアーム部３１を備えている。アーム部３１の先端は、ポール１０を支持し、アーム部３１の基端は、固定面に固定されている。
【００２６】
アーム部３１の先端には、ポール１０の曲壁１１に向けて延びる被挟持端部３２が突き出ている。被挟持端部３２は、ポール１０の第１延設壁１３ａと第２延設壁１３ｂとによって挟持されている。アーム部３１の先端の下部には、その下方向に向けて嵌入部３３が突き出ている。嵌入部３３は、第２延設壁１３ｂの有する嵌合溝１４に嵌められている。
【００２７】
嵌入部３３よりもアーム部３１の基端に近い部位には、ポール１０に向けて付勢された固定部３４が組み付けられている。固定部３４は、アーム部３１と対向する部位に係止爪３５を有し、係止爪３５は、固定部３４に加わる付勢力によって、ポール１０の第２突条１２ｂをその下方からアーム部３１の先端に向けて押さえている。
【００２８】
こうした構成からなるブラケット３０にポール１０が組み付けられるとき、まず、水平方向から見て、第２延設壁１３ｂの延びる方向と、被挟持端部３２の延びる方向とが交差する状態で、第１延設壁１３ａと第２延設壁１３ｂとの間の隙間に、被挟持端部３２が挿入される。そして、第２延設壁１３ｂの延びる方向と、被挟持端部３２の延びる方向とが一致するように、第２延設壁１３ｂと被挟持端部３２とが互いに近づけられることによって、被挟持端部３２が、第１延設壁１３ａと第２延設壁１３ｂとに挟持される。これに伴って、嵌入部３３が嵌合溝１４に嵌められる。この際に、ポール１０の第２突条１２ｂは、固定部３４の付勢力に反して係止爪３５を一旦押し戻し、その後に、係止爪３５とアーム部３１の間に入り込む。係止爪３５とアーム部３１の間に入り込んだ第２突条１２ｂは、係止爪３５の付勢力によって、アーム部３１の先端部と係止爪３５とに挟持される。
【００２９】
なお、１つのカーテンレールが、前後に２枚のカーテンを吊り下げる仕様では、アーム部３１の先端と基端との間に、他のポールが組み付けられてもよいし、他のポールと他のブラケットとが新たに加えられてもよい。
【００３０】
［ランナー２０の構成］
図５に示されるように、ランナー２０の摺接部２１は、円環形状を有し、摺接部２１の径方向に沿った断面が円形である。吊下部２２は、カーテンのフックが通される貫通孔を中央に有する引掛部２３と、引掛部２３の上端から摺接部２１の中心に向けて延びる軸部２４とを備えている。摺接部２１には、軸部２４の通る挿通孔２５が形成され、摺接部２１は、挿通孔２５に通された軸部２４を回転自在に軸支する。軸部２４がその周方向に沿って回転するとき、吊下部２２は、軸部２４を中心として、摺接部２１の外側で回転する。すなわち、吊下部２２は、摺接部２１の径方向に沿った軸を中心として回転する。
【００３１】
［カーテンレールの作用］
図６は、ランナー２０が静止している状態におけるポール１０とランナー２０との位置関係を示す図であり、図７および図８は、ランナー２０が互いに異なる角度に回転している状態におけるポール１０とランナー２０との位置関係を示す図である。
【００３２】
図６に示されるように、ランナー２０が静止している状態では、吊下部２２は、鉛直方向の下方に向けて摺接部２１から出ている。この際、摺接部２１を含む円周の中心ＣＢを通る中心線Ｂ１は、ポール１０の中心線Ａ１と互いに平行である。そして、ポール１０は、第１突条１２ａの先端と第２突条１２ｂの先端との２点で、摺接部２１と接触する。
【００３３】
図７に示されるように、例えば、カーテンが室内方向に引っ張られながら開閉されるとき、ランナー２０は、固定面ＷＦから離れる方向に向かって、ポール１０の周方向に沿って小さな回転角度で回転する。なお、図７では、ポール１０の中心線Ａ１とランナー２０の中心線Ｂ１とのなす角度θ１が、ランナー２０の回転角度であって、回転角度が約４度である例を示している。このとき、ポール１０は、第１突条１２ａの先端と、第２突条１２ｂの先端との２点で、摺接部２１と接触する。
【００３４】
図８に示されるように、例えば、図７にて説明された位置よりもカーテンから遠い位置にて、カーテンが室内方向に引っ張られながら開閉されるとき、ランナー２０には、固定面ＷＦから離れる方向に向かってランナー２０を引く力が、図７にて説明された状態よりも強く作用する。結果として、ランナー２０は、ポール１０のほぼ周方向に沿って大きな回転角度で回転する。なお、図８では、ポール１０の中心線Ａ１とランナー２０の中心線Ｂ１とのなす角度θ２が、ランナー２０の回転角度であって、回転角度が約４０度である場合を示している。そして、ポール１０は、第２突条１２ｂの先端と、第３突条１２ｃの先端との２点で、摺接部２１と接触する。
【００３５】
このように、ランナー２０が、固定面ＷＦから離れる方向に向かって、ポール１０の周方向に小さな回転角度で回転する場合と、同方向に大きな回転角度で回転する場合との各々について、ポール１０とランナー２０とが、互いに異なる２点で接触する。また、ランナー２０が、ポール１０の周方向に回転せずに、ポール１０に対して上記の静止状態と同じ位置関係を保ったまま摺動する場合にも、ポール１０とランナー２０とが２点で接触する。したがって、これらの各場合について、ランナー２０が摺動する際に、ランナー２０が曲壁１１の外側面と接触してポール１０とランナー２０との間に働く摩擦力が増大することが抑えられる。特に、曲壁１１が、装飾により表面が滑りにくいシート１５を備える構成においては、上述の効果が顕著である。
【００３６】
ポール１０とランナー２０との接点と、ランナー２０の回転角度との関係を詳述する。
図９に示されるように、第１突条１２ａの位置の設定される範囲は、中心ＣＡを中心とする弧で示された領域Ｌ１である。この際に、第２突条１２ｂの位置の設定される範囲は、中心ＣＡを中心とする弧で示された領域Ｌ２である。そして、第３突条１２ｃの位置の設定される範囲は、中心ＣＡを中心とする弧で示された領域Ｌ３である。領域Ｌ１と領域Ｌ２との境界は、中心線Ａ２よりも上方、かつ、中心線Ａ１よりも固定面ＷＦに近い領域内であれば任意である。
【００３７】
互いに異なる突条１２ａ，１２ｂ，１２ｃの位置が、領域Ｌ１，Ｌ２，Ｌ３に各別に設定される構成において、第１突条１２ａと第２突条１２ｂとを結ぶ弧に対する中心角は鋭角であり、第２突条１２ｂと第３突条１２ｃとを結ぶ弧に対する中心角もまた鋭角である。それゆえに、ポール１０は、第１突条１２ａの先端と第２突条１２ｂの先端との２点でランナー２０と接触すること、および、第２突条１２ｂの先端と第３突条１２ｃの先端との２点でランナー２０と接触することが可能である。
【００３８】
そして、ランナー２０が固定面ＷＦから離れる方向に向かって回転するとき、少なくとも互いに異なる２つの回転角度にて、ポール１０とランナー２０とは２点で接触する。しかも、第３突条１２ｃが、中心線Ａ２よりも下方、かつ、中心線Ａ１よりも固定面ＷＦに近い領域Ｌ３に位置するため、ポール１０とランナー２０とが２点で接触することの可能な回転角度の範囲に、大きな回転角度が含まれる。なお、回転角度によっては、各突条１２ａ〜１２ｃの先端にて、ポール１０とランナー２０とが１点で接触することも有り得る。
【００３９】
ランナー２０が摺動する際に、ポール１０とランナー２０とが点接触する構成であれば、ポール１０の外側面とランナー２０の内側面との面同士が線接触する構成と比べて、ポール１０とランナー２０との間に働く摩擦力は小さく、ランナー２０の走行性は高まる。そして、ポール１０に対してランナー２０が回転するときでも、互いに異なる複数の回転角度において、ポール１０とランナー２０とは点接触する。したがって、ランナー２０が回転する際にランナー２０と点接触することの可能な突条が１つ以下である構成と比べて、ランナー２０の回転角度の広い範囲で、ランナー２０の走行性が高められる。
【００４０】
特に、ポール１０とランナー２０とが１点で接触する場合よりも、２点で接触する場合の方が、ランナー２０の走行が安定する。そして、本実施形態では、上述のように、少なくとも互いに異なる２つの回転角度において、ポール１０とランナー２０とが２点で接触する。したがって、ランナー２０が回転する際にランナー２０と２点で点接触可能な突条が１組以下である場合と比較して、ランナー２０の回転角度に幅がある場合にも、ランナー２０の走行性を高めつつ、かつ、ランナー２０の走行の安定性を高めることができる。
【００４１】
カーテンの開閉の際にランナー２０が回転する場合、通常、ランナー２０の吊下部２２は、中心線Ａ２よりも下方、かつ、中心線Ａ１よりも固定面ＷＦから遠い領域Ｌ４にて、ポール１０と対向する。第１突条１２ａが、中心線Ａ１よりも固定面ＷＦから遠い領域に位置するとき、中心ＣＡに対して領域Ｌ４と点対象である領域は、円周Ｃにおいて、第１突条１２ａと第３突条１２ｃとに挟まれる。したがって、カーテンの開閉の際に取り得るランナー２０の回転角度のうち、その可能性が高い回転角度について、ポール１０とランナー２０とが２点で接触しやすい。結果として、実用性の高い範囲で、ランナー２０の走行性を高めることができる。
【００４２】
また、本実施形態では、曲壁１１の外側面、および、３つの突条１２ａ〜１２ｃの先端が、同一の円周Ｃ上に位置している。そのため、曲壁１１の外側面が位置する円周上から突条の先端が突出している場合と比較して、カーテンレールを室内方向から見た場合に、ポール１０から突条が突出して見えることやランナー２０がポール１０から浮き上がって走行するように見えることが抑えられる。その結果、カーテンレールの美観が低下することが抑えられる。
【００４３】
また、本実施形態では、第２突条１２ｂが、ブラケット３０と係合する。すなわち、第２突条１２ｂは、ランナー２０の走行性を高めるための部材と、ポール１０とブラケット３０とを固定するための部材とを兼ねる。したがって、ポール１０が、これらの部材を各別に備える場合と比較して、ポール１０の構成が簡易になる。
【００４４】
また、本実施形態では、ランナー２０の吊下部２２が、摺接部２１の径方向に沿った軸を中心として回転する。そのため、カーテンが開閉される際に、ランナー２０に対して、ランナー２０の摺動方向と斜めに交差する方向の力が加わる場合であっても、吊下部２２の回転によって、斜め方向の力が摺接部２１に作用することが抑えられる。したがって、摺接部２１が摺動方向と斜めに交差する方向に傾くことが抑えられるため、ポール１０の突条１２ａ〜１２ｃとランナー２０との接触についての安定性が高められる。
【００４５】
以上説明したように、本実施形態によれば、以下の効果が得られる。
（１）カーテンを操作する人は、通常、カーテンが区画する２つの空間のいずれか一方に位置する。例えば、カーテンが窓際に設置されるとき、カーテンを操作する人は、カーテンに対して室内側に位置する。そして、カーテンを操作する人が、カーテンを開閉するとき、ポールの軸方向に沿って、かつ、室内側に向けて、カーテンは引っ張られる。これに伴って、ランナーにおいてカーテンが吊下げられた部位は、それの位置がランナーの中心に対して鉛直方向の下方よりも室内側に位置するように、ポールに対して回転し、その回転角度を概ね保ちながら、ランナーはポールの軸方向に沿って移動する。この際に、カーテンを操作する人とカーテンとの間の距離、ランナーに作用するカーテンの荷重、カーテンを操作する人の身長などは区々であるから、結局のところ、上記ランナーの回転角度は常に一定とはならない。それゆえに、ランナーにおいてポールと点接触する位置を、カーテンの開閉の度に同じ位置に配置することは極めて困難である。したがって、ランナーの回転角度が範囲を有する場合であっても、ランナーの走行性を高められるカーテンレールが求められている。
【００４６】
この点、本実施形態のカーテンレールによれば、ランナー２０の回転角度に幅がある場合にも、ランナー２０の走行性が高められる。また、ランナーの走行の安定性を高めることもできる。
【００４７】
（２）第３突条１２ｃが、中心線Ａ２よりも下方、かつ、中心線Ａ１よりも固定面に近い領域Ｌ３に位置するため、ポール１０とランナー２０とが２点で接触するランナー２０の回転角度に、大きな回転角度が含まれる。
【００４８】
（３）曲壁１１の外側面、および、３つの突条１２ａ〜１２ｃの先端が、同一の円周Ｃ上に位置しているため、カーテンレールの美観が低下することが抑えられる。
（４）カーテンの開閉時においてランナー２０が回転する場合に、吊下部２２と対向するポール１０の位置と中心ＣＡに対して点対象である領域が、円周Ｃにおいての第１突条１２ａと第３突条１２ｃとに挟まれる。したがって、回転の可能性が高い角度について、ポール１０とランナー２０とが２点で接触しやすくなる。
【００４９】
（５）第２突条１２ｂが、ランナー２０の走行性を高めるための部材と、ポール１０とブラケット３０を固定するための部材とを兼ねるため、ポール１０の構成が簡易になる。
（６）ランナー２０の吊下部２２が回転することによって、ランナー２０に対して、摺動方向と斜めに交差する方向の力が加わる場合であっても、その力が摺接部２１に作用することが抑えられる。したがって、摺接部２１が摺動方向に対して傾くことが抑えられるため、突条１２ａ〜１２ｃとランナー２０との接触についての安定性が高められる。
【００５０】
上記の実施形態は、以下のように変更して実施することが可能である。
・第２突条１２ｂに代えて、あるいは、第２突条１２ｂに加えて、第１突条１２ａや第３突条１２ｃがブラケット３０と係合してもよい。なお、ポール１０は、ブラケット３０と係合する部分を突条１２ａ〜１２ｃとは異なる部分に備えていてもよい。
【００５１】
・吊下部２２は、摺接部２１に固定されていてもよく、この際に、摺接部２１と吊下部２２とは、一体に形成されてもよい。
・突条の数は３つ以上であってもよく、上記の各領域Ｌ１，Ｌ２，Ｌ３に３つの突条１２ａ，１２ｂ，１２ｃの各々が位置していれば、上記（１）および（２）の効果は得られる。なお、突条の数が３つである構成は、上記（１）および（２）の効果が得られる最も簡易な構成であり、また、ポール１０とランナー２０とが３点以上の点で接触する場合よりも、２点で接触する場合の方がポール１０とランナー２０と間に働く摩擦力を抑える効果が高い。したがって、突条の数は３つであることが好ましい。
【００５２】
・曲壁１１の外側面が位置する円周上から突条１２ａ〜１２ｃの先端が突出してもよい。
・突条１２ａ〜１２ｃは、水平方向において、ポール１０の全体に渡って延びていなくてもよい。例えば、突条１２ａ〜１２ｃの各々は部分的に切れ目を有していてもよい。
【００５３】
・曲壁１１の有する形状は、曲板形状に限らず、例えば、半円柱形状や多角柱形状であってもよく、ポール１０の外側面は、水平方向から見て、弧状に限らず、半円形状や多角形状であってもよい。さらに、曲壁１１は、ポール１０から省略されてもよい。例えば、ポール１０は、柱状の棒材と棒材の外側面に突設された突条とから構成されてもよい。また、ポール１０は、水平方向から見て、円周Ｃ上に位置して複数の被摺接部として機能する複数の棒材のみから構成されてもよい。また、ポール１０は、柱状の棒材と棒材の外側面に突設された突条、および、円周Ｃ上に位置して被摺接部として機能する他の棒材から構成されてもよい。要は、ポール１０が、上記の各領域Ｌ１，Ｌ２，Ｌ３に位置する３つの被摺接部を備えていれば、上記（１）および（２）の効果は得られる。
【符号の説明】
【００５４】
１０…ポール、１１…曲壁、１２ａ，１２ｂ，１２ｃ…突条、２０…ランナー、２１…摺接部、２２…吊下部、３０…ブラケット、ＷＦ…固定面。
【図１】
2020078719.tif 000003
【図２】
2020078719.tif 000004
【図３】
2020078719.tif 000005
【図４】
2020078719.tif 000006
【図５】
2020078719.tif 000007
【図６】
2020078719.tif 000008
【図７】
2020078719.tif 000009
【図８】
2020078719.tif 000010
【図９】
2020078719.tif 000011
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
水平方向に沿って延びるポールと、
前記ポールが通されて前記ポールに沿って摺動するランナーと、を備え、
前記ランナーは、前記摺動に際して前記ポールと接触する摺接部を含み、
前記ポールは、前記摺動に際して前記摺接部と接触するように構成された被摺接部であって、前記水平方向と直交する前記ポールの前後方向に沿って延びる延設壁から上方向に向かって延びる前記被摺接部を備え、前記ポールの外側面は、シートを備え、
前記シートの端部は前記延設壁上に位置し、前記被摺接部は、前記シートから露出されている
カーテンレール。
【請求項２】
前記被摺接部は、前記ポールの外側面において突出する突条である
請求項１に記載のカーテンレール。